(57)【要約】【課題】車椅子として使用する際には手荷物を置くことができるとともに、災害時などには荷車として大量の荷物を積載することが可能な車椅子を提供する。【解決手段】車椅子は、車輪１１，１２と、車輪１１，１２を回転可能に接続する本体フレーム２０と、本体フレーム２０に設けられた座面３０と、本体フレーム２０から取り外し可能に取り付けられた背もたれ３１と、背もたれ３１の後方に設けられた第１の荷物載置面３２とを具えており、背もたれ３１が本体フレーム２０から取り外された場合に、座面３０と第１の荷物載置面３２とを組み合わせた面が第２の荷物載置面３７を形成する。【選択図】図１０
0003173290.tif 000002
【実用新案登録請求の範囲】
【請求項１】
荷車に変形可能な車椅子であって、車輪と、前記車輪を回転可能に接続する本体フレームと、前記本体フレームに設けられた座面と、前記本体フレームから取り外し可能に取り付けられた背もたれと、前記背もたれの後方に設けられた第１の荷物載置面とを具え、前記背もたれが前記本体フレームから取り外された場合に、前記座面と前記第１の荷物載置面とを組み合わせた面が第２の荷物載置面を形成することを特徴とする車椅子。
【請求項２】
請求項１に記載の車椅子において、前記本体フレームから取り外された背もたれが前記座面上に配置もしくは折り畳まれるよう構成されていることを特徴とする車椅子。
【請求項３】
請求項１に記載の車椅子において、前記背もたれと前記第１の荷物載置面とが一体化されていることを特徴とする車椅子。
【請求項４】
請求項１に記載の車椅子において、前記第１の荷物載置面が前記座面と実質的に同じ高さであることを特徴とする車椅子。
【請求項５】
請求項１に記載の車椅子において、前記座面が後下がりに傾斜していることを特徴とする車椅子。
【請求項６】
請求項１に記載の車椅子において、前記第１の荷物載置面が後上がりに傾斜していることを特徴とする車椅子。
【請求項７】
請求項１に記載の車椅子において、前記座面と前記第１の荷物載置面との成す角度が１８０度より小さいことを特徴とする車椅子。
【請求項８】
請求項１に記載の車椅子において、前記第２の荷物載置面が「Ｖ」字形状であることを特徴とする車椅子。
【請求項９】
請求項１に記載の車椅子において、前記本体フレームが前記第２の荷物載置面に載せた荷物の前方の面および／または後方の面を支持するための支持ベルトを具えることを特徴とする車椅子。
【請求項１０】
請求項１に記載の車椅子において、前記車輪がさらに主輪と補助輪とを具え、前記主輪がオフロードタイヤであり、前記補助輪がソリッドゴムタイヤであることを特徴とする車椅子。
【考案の詳細な説明】
【技術分野】
【０００１】
本考案は荷車に変形可能な車椅子に関し、特に背もたれの後方にスーツケースやバッグ等の手荷物を置くことができるとともに、背もたれを取り外す（折り畳む）ことによって座面と背もたれの後方部分とを組み合わせたスペースに荷物を置くことが可能な車椅子に関する。
【背景技術】
【０００２】
通常、車椅子を使用する場合、乗車者や介助者の鞄などの手荷物を収納できるスペースが設けられていないため、大抵の場合、乗車者のひざ上などに手荷物を置いて使用している。しかしながら、手荷物が多い場合には、乗車者や介助者に負担を強いることになる。
【０００３】
この問題を解決する手段として、背もたれの後方に載置面２５１を形成した車椅子が提案されている（例えば、特許文献１）。この載置面２５１は水平であり、その後端には荷物の載置範囲を規制する立ち上がり面２５３が形成されている。また、車椅子の前輪フレームの上方に荷物載置用部品１を取り付けた車椅子や（例えば、特許文献２）、車椅子の座面の下方に物品収納かご１を設けた車椅子も提案されている（例えば、特許文献３）。
【特許文献１】特開２００６−２９６７８８号公報
【特許文献２】特開２００９−１１２７５９号公報
【特許文献３】特開２０１０−１０４５８２号公報
【考案の概要】
【考案が解決しようとする課題】
【０００４】
しかしながら、特許文献１〜３の車椅子では、荷物を収納することができるスペースが限られているため、一度に大量の荷物を運ぶことができない。特に、震災により避難を余儀なくされ、車や電車といった交通手段を利用できない状況では、手荷物として運ぶ必要があるところ、身近に台車などの搬送手段がないことが多く、大量の荷物を運搬するのは大きな負担を伴う。かかる状況は、歩行の不自由な患者、身体障害者、および要介護者の家族にとってさらに深刻な問題となる。
【０００５】
このような背景を鑑み、本考案は、車椅子として使用する際には手荷物を置くことができるとともに、災害時などには荷車として大量の荷物を積載することが可能な車椅子を提供することを目的とする。
【課題を解決するための手段】
【０００６】
本考案の車椅子は、車輪と、前記車輪を回転可能に接続する本体フレームと、前記本体フレームに設けられた座面と、前記本体フレームから取り外し可能に取り付けられた背もたれと、前記背もたれの後方に設けられた第１の荷物載置面とを具え、前記背もたれが前記本体フレームから取り外された場合に、前記座面と前記第１の荷物載置面とを組み合わせた面が第２の荷物載置面を形成することを特徴とする。
【０００７】
この車椅子において、前記本体フレームから取り外された背もたれが前記座面上に配置もしくは折り畳まれるよう構成されていることが好ましい。
【０００８】
一の実施例では、前記背もたれと前記第１の荷物載置面とが一体化されていることが好ましい。
【０００９】
別の実施例では、前記第１の荷物載置面が前記座面と実質的に同じ高さであることが好ましい。
【００１０】
さらに別の実施例では、前記座面が後下がりに傾斜していることが好ましい。
【００１１】
この実施例では、前記第１の荷物載置面が後上がりに傾斜していることが好ましい。
【００１２】
一の実施例では、前記座面と前記第１の荷物載置面との成す角度が１８０度より小さいことが好ましい。
【００１３】
この実施例では、前記第２の荷物載置面が「Ｖ」字形状であることが好ましい。
【００１４】
別の実施例では、前記本体フレームが前記第２の荷物載置面に載せた荷物の前方の面および／または後方の面を支持するための支持ベルトを具えることが好ましい。
【００１５】
さらに別の実施例では、前記車輪がさらに主輪と補助輪とを具え、前記主輪がオフロードタイヤであり、前記補助輪がソリッドゴムタイヤであることが好ましい。
【考案の効果】
【００１６】
本考案の車椅子によれば、車椅子として使用する際には、背もたれの後方に設けられた第１の荷物載置面に手荷物を置くことができる。また、荷車として使用する際には、背もたれを本体フレームから取り外して、座面と第１の荷物載置面とを組み合わせた面を第２の荷物載置面とすることができる。第２の荷物載置面は、第１の荷物載置面より広く、より多くの荷物を積載することができる。このように本考案の車椅子によれば、１台の車椅子で２つの態様を達成することができる。このため、災害時のように人の手で大量の荷物を運搬しなければならない場合であっても、歩行の不自由な患者、身体障害者、および要介護者の家族の負担を軽減することが可能である。
【００１７】
また、本体フレームから取り外した背もたれが座面上に配置または折り畳まれるよう構成されている場合には、取り外した背もたれを車椅子とは別に持ち運ぶ必要がなくなる。
【００１８】
また、背もたれと第１の荷物載置面とが一体化（単一の材料で形成）されている場合には、背もたれが座面上に配置もしくは折り畳まれると、背もたれと第１の荷物載置面とにより形成される第２の荷物載置面が隙間のない単一の面になる。したがって、このような隙間に荷物を引っ掛けることなく、荷物を載せることができる。
【００１９】
さらに、第１の荷物載置面が座面と実質的に同じ高さであることにより、これらによって形成される第２の荷物載置面が段差のない面となり、座面と第１の荷物載置面とに跨る大きさの荷物であっても、第２の荷物載置面に安定させて載せることができる。
【００２０】
また、座面が後下がりに傾斜している場合には、座面への着座が快適になるとともに、より安定する。さらに、第１の荷物載置面が後上がりに傾斜している場合には、第１の荷物載置面に比較的重たい荷物を置いた場合であっても、荷物の重力方向が車椅子の前方へ向かうため、車椅子の後転を防止することができる。
【００２１】
さらに、座面と第１の荷物載置面との成す角度が１８０度より小さく、すなわち第２の荷物載置面が「Ｖ」字形状である場合には、座面側に載せる荷物と第１の荷物載置面側に載せる荷物が互いに支え合うとともに、これらの荷物の重力方向が車椅子の重心方向に向かうため、車椅子の前転および後転を防止し、大量の荷物をより安定させて積載することが可能になる。
【００２２】
また、本体フレームが第２の荷物載置面に載せた荷物の前方の面および／または後方の面を支持するための支持ベルトを具える場合には、車椅子が前方または後方に傾いても荷崩れし難くなる。さらに、主輪および補助輪は耐久性に優れたタイヤを具えているため、ガラスや釘などの瓦礫が散らばっている道路であってもパンクし難い。
【図面の簡単な説明】
【００２３】
【図１】本考案の実施例に係る車椅子の正面図である。
【図２】本考案の実施例に係る車椅子の背面図である。
【図３】本考案の実施例に係る車椅子の右側面図である。
【図４】本考案の実施例に係る車椅子の平面図である。
【図５】本考案の実施例に係る車椅子の底面図である。
【図６】本考案の実施例に係る車椅子の正面斜視図である。
【図７】本考案の実施例に係る車椅子の背面斜視図である。
【図８】本考案の実施例に係る車椅子の使用状態を示す背面斜視図である。
【図９】本考案の実施例に係る車椅子のフレームの形状を示す側面図である。
【図１０】本考案の実施例に係る車椅子の変化する態様を斜視図である。
【図１１】本考案の実施例に係る車椅子の背もたれを畳んだ状態を示す正面図である。
【図１２】本考案の実施例に係る車椅子の背もたれを畳んだ状態を示す背面図である。
【図１３】本考案の実施例に係る車椅子の背もたれを畳んだ状態を示す右側面図である。
【図１４】本考案の実施例に係る車椅子の背もたれを畳んだ状態を示す平面図である。
【図１５】本考案の実施例に係る車椅子の背もたれを畳んだ状態を示す底面図である。
【図１６】本考案の実施例に係る車椅子の荷車としての使用状態を示す斜視図である。
【考案を実施するための形態】
【００２４】
本考案の実施形態を添付の図面を参照しながら以下に詳細に説明する。なお、同一の符号は同一の部材または車椅子の左右で対称の部材を示す。
【００２５】
図１〜図７は本考案の実施例に係る車椅子の構造を示しており、図８はこの車椅子の使用状態を示しており、図９は車椅子のフレームの形状をしている。図１〜図７に示すように、この実施例の車椅子は、主輪１１と、補助輪１２と、これらの車輪を回転可能に接続する本体フレーム２０と、本体フレーム２０に設けられた座面３０と、本体フレームから取り外し可能に取り付けられた背もたれ３１と、背もたれ３１の後方に設けられた第１の荷物載置面３２とを具えている。
【００２６】
図６および図７に示すように、主輪１１はリムと、リムに取り付けられたハンドリムと、表面に凹凸を有するオフロードタイヤとを具えている。また、主輪１１は２０〜２５インチの外径と、３５〜４０ｍｍの幅とを有する。一方、補助輪１２はリムと、ソリッドゴムタイヤとを具えている。また、補助輪１２は５〜１０インチの外径と、３０〜３５ｍｍの幅とを有している。このように主輪１１と補助輪１２は耐久性に優れた素材で相対的に大きい外径と幅のタイヤを具えているため、ガラスや釘などの瓦礫が散らばっている道路であってもパンクし難い。
【００２７】
本体フレーム２０は、車椅子の持ち運びを容易にするため、アルミニウム等の軽量な金属で形成される。本体フレーム２０は、車輪を回転可能に接続するサイドフレーム２４を具えており、サイドフレーム２４にはフットレスト２５と、肘掛け２３と、主輪１１の回転制御用のハンドブレーキ２８と、座席側面を規定するサイドプレート３５とが取り付けられる。また、本体フレーム２０はその頂部にブレーキ付きの介助ハンドル２２を具えており、介助ハンドル２２はロック機構付きヒンジ２９を介してサイドフレーム２４に接続している。
【００２８】
また図９に示すように、本体フレーム２０はサイドフレーム２４の後部に溶接固定された支持フレーム２７を具えている。支持フレーム２７には第１の荷物載置面３２が取り付けられる。支持フレーム２７は、第１の荷物載置面３２が座面３０と実質的に同じ高さになるようにサイドフレーム２４に固定される。支持フレーム２７は、第１の荷物載置面３２が後上がりになるようにサイドフレーム２４に対して上方に傾斜していることが好ましい。一方、サイドフレーム２４は、座面３０が後下がりになるように支持フレーム２７に対して下方に傾斜していることが好ましい。車椅子を側方から見た場合に、座面３０と第１の荷物載置面３２との成す角度が１８０度より小さく、「Ｖ」字形状となる。以上の構成要素は、車椅子の左右に対称的に設けられている。
【００２９】
さらに図１および図２に示すように、本体フレーム２０は左右２つのサイドフレーム２４に枢動可能に接続するクロスメンバ２１を具えている。クロスメンバ２１は公知の折り畳み機構を有しており、左右のサイドフレーム２４を近づけると、クロスメンバ２１が折り畳まれるよう構成されている。また、介助ハンドル２２の下のヒンジ２９のロックを解除すると、介助ハンドル２２が後転して折り畳まれる。これらの機構により、車椅子を収納状態、持ち運び可能な状態に変形させることができる。
【００３０】
座面３０、背もたれ３１、および第１の荷物載置面３２は、テフロン（登録商標）コーティングされたナイロンツイル等の軽量性、耐摩耗性、耐久性に優れた繊維材料で形成される。また、これらを折り畳み可能な材料で形成することにより、上述のように車椅子を収納状態に変形させることができる。図６および図７に示すように、座面３０は、クロスメンバ２１の頂部フレームに取り付けられる。一方、背もたれ３１はその側部から外方に延びる頂部ベルト３３と底部ベルト３４を有しており、このベルトをそれぞれ介助ハンドル２２とサイドフレーム２４とに係合させることにより、本体フレーム２０に取り付けられる。この際、頂部ベルト３３は介助ハンドル２２の下に形成された穴部２６に通され、底部ベルト３４はサイドプレート３５の後方に形成された穴部３６に通される。次いで、頂部ベルト３３と底部ベルト３４に形成されたベルクロを付着することにより、背もたれ３１が本体フレーム２０に取り付けられる。第１の荷物載置面３２は、上述したように支持フレーム２７に取り付けられる。
【００３１】
図８に示すように、車椅子として使用する際には、背もたれ３１の後方に設けられた第１の荷物載置面３２に手荷物４０を置くことができる。また、図９に示すように、座面３０が後下がりに傾斜しているため、座面３０への着座が快適になるとともに、より安定する。さらに、第１の荷物載置面３２が後上がりに傾斜しているため、第１の荷物載置面３２に比較的重たい荷物を置いた場合であっても、荷物の重力方向が車椅子の前方へ向かうため、車椅子の後転を防止することができる。
【００３２】
以上の車椅子を荷車として使用する場合について以下に説明する。図１０はこの車椅子の変化する態様を示しており、図１１〜図１５はこの車椅子の背もたれを畳んだ状態を示しており、図１６は荷車としての使用状態を示している。図１０〜図１５に示すように、荷車として使用する場合には、まず背もたれ３１を本体フレーム２０から取り外す。背もたれ３１は、頂部ベルト３３と底部ベルト３４のベルクロの付着を取り外し、これらを穴部２６，３６から抜き取ることにより、本体フレーム２０から取り外すことができる。本体フレーム２０から取り外された背もたれ３１は、座面３０上に配置もしくは折り畳まれる。このため、取り外した背もたれ３１を車椅子とは別に持ち運ぶ必要がない。このようにして座面３０（畳んだ背もたれ３１）と第１の荷物載置面３２とから成る第２の荷物載置面３７が形成される。第２の荷物載置面３７は、第１の荷物載置面３２より広く、より多くの荷物を積載することができる。
【００３３】
また、背もたれ３１と第１の荷物載置面３２は一体化（単一の材料で形成）されているため、第２の荷物載置面３７が隙間のない単一の面になる。したがって、このような隙間に荷物を引っ掛けることなく、荷物を載せることができる。別の実施例では、背もたれ３１と座面３０を一体化してもよい。この場合には、本体フレーム２０から取り外した背もたれ３１を第１の荷物載置面３２上に折り畳むことができる。背もたれ３１は座面３０と一体化されているため、第２の荷物載置面３７が隙間のない単一の面になる。
【００３４】
さらに、第１の荷物載置面３２は座面３０と実質的に同じ高さであるため、これらによって形成される第２の荷物載置面３７が段差のない面となり、座面３０と第１の荷物載置面３２とに跨る大きさの荷物であっても、第２の荷物載置面３７に安定させて載せることができる。また、座面３０と第１の荷物載置面３２との成す角度は１８０度より小さく、すなわち第２の荷物載置面３７が「Ｖ」字形状である。したがって、図１６に示すように、座面３０側に載せる荷物と第１の荷物載置面３２側に載せる荷物が互いに支え合うとともに、これらの荷物４１の重力方向が車椅子の重心方向に向かうため、車椅子の前転および後転を防止し、大量の荷物４１をより安定させて積載することが可能になる。
【００３５】
また図示しないが、本体フレーム２０は第２の荷物載置面３７に載せた荷物４１の前面および／または後面を支持するための支持ベルトを具えていることが好ましい。この場合、車椅子が前方または後方に傾いても荷物４１が崩れ難くなる。また、この車椅子はブレーキ付きの介助ハンドル２２を具えているため、坂道であっても大量の荷物を積んだ車椅子の速度を容易に制御することができる。以上のように、本考案に係る車椅子は１台で車椅子と荷車の２つの態様に変形させて使用することができるため、災害時のように人の手で大量の荷物を運搬しなければならない場合であっても、歩行の不自由な患者、身体障害者、および要介護者の家族の負担を軽減することが可能である。
【００３６】
なお、本考案の技術的範囲は上記実施例に限るものではなく、各部の詳細な構成、寸法および形状は実用新案登録請求の範囲を逸脱しない範囲において、様々な態様に変更することができる。例えば上記実施例の主輪は２０〜２５インチ径を想定しているが、これより大きくてもよい。また、上記実施例では背もたれ３１を折り畳むよう想定しているが、背もたれ３１を本体フレーム２０から完全に取り外して収納するよう構成してもよい。
【産業上の利用可能性】
【００３７】
本考案に係る車椅子は、車椅子製造業の他、これを利用する病院や施設などの福祉介護業界で利用することができる。
【符号の説明】
【００３８】
１１    主輪
１２    補助輪
２０    本体フレーム
２１    クロスメンバ
２２    介助ハンドル
２３    肘掛け
２４    サイドフレーム
２５    フットレスト
２６    穴部
２７    支持フレーム
２８    ハンドブレーキ
２９    ヒンジ
３０    座面
３１    背もたれ
３２    第１の荷物載置面
３３    頂部ベルト
３４    底部ベルト
３５    サイドプレート
３６    穴部
３７    第２の荷物載置面
４０    手荷物
４１    荷物
【図１】
0003173290.tif 000003
【図２】
0003173290.tif 000004
【図３】
0003173290.tif 000005
【図４】
0003173290.tif 000006
【図５】
0003173290.tif 000007
【図６】
0003173290.tif 000008
【図７】
0003173290.tif 000009
【図８】
0003173290.tif 000010
【図９】
0003173290.tif 000011
【図１０】
0003173290.tif 000012
【図１１】
0003173290.tif 000013
【図１２】
0003173290.tif 000014
【図１３】
0003173290.tif 000015
【図１４】
0003173290.tif 000016
【図１５】
0003173290.tif 000017
【図１６】
0003173290.tif 000018